(57)【要約】【課題】管腔内挿入具に座屈が生じることを防止することで、可能なかぎり管腔内挿入具の交換を不必要とし、トルクが所定値以上になったことを術者が手元で瞬時に感知することができる医療用具及びその医療用具を取り付けた管腔内挿入具及び管腔内挿入具を提供する。【解決手段】医療用具１は、管腔内挿入具に連結されて管腔内挿入具に対し軸周りの回転方向に拘束される本体２と、本体２に接触を伴って係合し、本体２と一体的に回転可能であると共に把持可能な筒体３と、筒体３を把持して回転される際、トルクが所定値以上になると、本体２と筒体３との係合が解除され、管腔内挿入具へのトルクの伝達を阻止するトルク制御機構４とを備える。これにより、トルクが所定値以上になると、本体２に連結された管腔内挿入具を回転できなくなるため、管腔内挿入具に捩れ座屈を生じず、また、術者に瞬時にトルクが所定値以上になったことを感知させることができる。【選択図】図２
2007215610.tif 000002
【特許請求の範囲】
【請求項１】
一端側から生体管腔内に挿入されると共に他端側に操作部を有する細長い可撓性の管腔内挿入具に取り付けられる医療用具であって、
前記操作部に連結されて前記管腔内挿入具に対し軸周りの回転方向に拘束される本体と、
前記本体に接触を伴って係合し、前記本体と一体的に回転可能であると共に把持可能な筒体と、
前記筒体を把持して前記筒体の軸方向に対し回転される際、トルクが所定値以上になると、前記本体と前記筒体との係合が回転方向に対し解除され、前記管腔内挿入具へのトルクの伝達を阻止するトルク制御機構とを備える医療用具。
【請求項２】
請求項１に記載の医療用具において、
前記筒体は、前記管腔内挿入具側に位置する筒体前端部と、前記管腔内挿入具側と反対側に位置する筒体後端部とを有し、
前記トルク制御機構は、前記本体と前記筒体前端部との当接部、あるいは、前記本体と前記筒体後端部との当接部のいずれか一方に設けられていることを特徴とする医療用具。
【請求項３】
請求項１に記載の医療用具において、
前記本体は、前記管腔内挿入具側に位置する本体前端部と、前記管腔内挿入具側と反対側に位置する本体後端部とを有し、
前記筒体は、前記本体前端部と当接可能な筒体前端部と、前記本体後端部と当接可能な筒体後端部とを有し、前記本体前端部と前記本体後端部の間で、前記本体前端部と前記本体後端部のいずれか一方と当接するように軸方向に移動可能に設けられ、
前記トルク制御機構は、第１のトルク制御機構と第２のトルク制御機構とを有し、
前記第１のトルク制御機構は、前記本体前端部と前記筒体前端部との当接部に設けられ、
前記第２のトルク制御機構は、前記本体後端部と前記筒体後端部との当接部に設けられていることを特徴とする医療用具。
【請求項４】
請求項１ないし請求項３のいずれか１項に記載の医療用具において、
前記トルク制御機構は、
前記本体に設けられた傾斜面を有する本体側歯部と、前記本体側歯部と噛合い係合可能な前記筒体に設けられた前記傾斜面を有する筒体側歯部とを備えることを特徴とする医療用具。
【請求項５】
請求項４に記載の医療用具において、
前記本体側歯部及び前記筒体側歯部は、順方向に回転させる際に接触する傾斜面と、逆方向に回転させる際に接触する傾斜面とで、傾斜角度が異なることを特徴とする医療用具。
【請求項６】
請求項３に記載の医療用具において、
前記第１のトルク制御機構の係合が解除されるトルクと、前記第２のトルク制御機構の係合が解除されるトルクの大きさが異なることを特徴とする医療用具。
【請求項７】
請求項２ないし請求項６のいずれか１項に記載の医療用具において、
前記本体は、外周に少なくとも１つの本体側突起部を有し、
前記筒体は、外周に前記本体側突起部とともに一連の突起部を形成する少なくとも１つの筒体側突起部を有することを特徴とする医療用具。
【請求項８】
請求項１ないし請求項７のいずれか１項に記載の医療用具を取り付けた管腔内挿入具であって、
前記管腔内挿入具がガイドワイヤ、カテーテル、バルーンカテーテルの内の一つであることを特徴とする医療用具を取り付けた管腔内挿入具。
【請求項９】
請求項１ないし請求項７のいずれか１項に記載の医療用具を取り付けた管腔内挿入具において、
一端に設けられた金属体からなる先端部と、
少なくとも一部分が金属素線を巻回あるいは撚合わせてなるコイル体からなるシャフト部とを備えることを特徴とする医療用具を取り付けた管腔内挿入具。
【請求項１０】
一端側から生体管腔内に挿入される細長い可撓性の管腔内挿入具であって、
一端に設けられる先端部と、
少なくとも一部分が金属素線を巻回あるいは撚合わせてなるコイル体からなるシャフト部と、
他端に設けられて体外において回転可能な操作部と、
前記操作部の回転を前記シャフト部に伝達する医療用具とを備え、
前記医療用具は、
本体と、
前記本体に接触を伴って係合し、前記本体と一体的に回転する筒体と、
前記筒体の軸方向に対し回転される際、トルクが所定値以上になると、前記本体と前記筒体との係合が回転方向に対し解除され、前記先端部と前記本体へのトルクの伝達を阻止するトルク制御機構とを有することを特徴とする管腔内挿入具。
【請求項１１】
請求項１０に記載の管腔内挿入具において、
前記医療用具は、
前記本体が、前記管腔内挿入具の先端部側に位置する本体前端部と、前記管腔内挿入具の先端部側と反対側に位置する本体後端部とを有し、
前記筒体が、前記本体前端部と前記本体後端部の間で、いずれか一方と当接するように軸方向に移動可能に設けられると共に、前記本体前端部と当接可能な筒体前端部と、前記本体後端部と当接可能な筒体後端部とを有し、
前記トルク制御機構が、第１のトルク制御機構と第２のトルク制御機構とを有し、
前記第１のトルク制御機構は、前記本体前端部と前記筒体前端部との当接部に設けられ、
前記第２のトルク制御機構は、前記本体後端部と前記筒体後端部との当接部に設けられていることを特徴とする管腔内挿入具。
【請求項１２】
請求項１０または請求項１１のいずれか１項に記載の管腔内挿入具において、
前記トルク制御機構は、
前記本体に設けられた傾斜面を有する本体側歯部と、前記本体側歯部と噛合い係合可能な前記筒体に設けられた前記傾斜面を有する筒体側歯部とを備えることを特徴とする管腔内挿入具。
【請求項１３】
請求項１２に記載の管腔内挿入具において、
前記本体側歯部及び前記筒体側歯部は、順方向に回転させる際に接触する傾斜面と、逆方向に回転させる際に接触する傾斜面とで、傾斜角度が異なることを特徴とする管腔内挿入具。
【請求項１４】
請求項１１に記載の管腔内挿入具において、
前記第１のトルク制御機構の係合が解除されるトルクと、前記第２のトルク制御機構の係合が解除されるトルクの大きさが異なることを特徴とする管腔内挿入具。
【発明の詳細な説明】
【技術分野】
【０００１】
本発明は、血管、消化管、尿管などの生体管腔内に挿入される管腔内挿入具に取り付けられて、所定値以上のトルクがかかった場合に管腔内挿入具へのトルクの伝達を阻止するトルク制御機構を備える医療用具及びその医療用具を取り付けた管腔内挿入具及び管腔内挿入具に関する。
【背景技術】
【０００２】
血管、消化管、尿管などの生体管腔内における診断治療は、術者が手元から生体管腔へ可撓性の軸方向に細長い管腔内挿入具を挿入し、先端を生体管腔の深部に到達させることによりなされる。このような管腔内挿入具には、チューブ状のカテーテル、ガイドワイヤ、バルーンカテーテル等がある。
【０００３】
これら管腔内挿入具を使用する際に、術者は医療用具の手元側で軸方向を中心に回転させる場合がある。回転させる状況としては、例えば、屈曲した生体管腔内へ管腔内挿入具を挿入していく際や、先端の曲がった管腔内挿入具を挿入していく際、閉塞部に管腔内挿入具をねじ込んで通過させる際等がある。
【０００４】
管腔内挿入具を回転させる際に、管腔内挿入具の先端等に生体管腔の内壁や閉塞部が突き当たると、トルクが大きくなり、所定値以上のトルクがかかると管腔内挿入具が捩れ、座屈をおこしてしまう恐れがある。捩れ座屈が生じると、交換のため管腔内挿入具を生体管腔から抜いて、再度手技を行わなくてはならない。これは、患者の負担増大にもつながり得る。
【０００５】
上記問題点を解決するために、特許文献１では、管腔内挿入具が生体管腔内で捩れ座屈をしないように、管腔内挿入具の手元側に縮小径部を設けて、生体管腔内ではなく、手元側で優先的に座屈変形するようにし、さらに、捩れを目視確認できる構成にした管腔内挿入具が開示されている。
しかし、この管腔内挿入具では、捩れ座屈を生じた管腔内挿入具は、その交換が必要となる場合がある。また、捩れ座屈したか否かを目視にて判断する必要があり、管腔内挿入具に所定値以上のトルクが負荷されたことを術者が瞬時に感知することが困難である。瞬時に感知できないために、目視による判断が遅れて、座屈を生じた管腔内挿入具の交換が遅れ、手技の時間が長くかかる場合がある。
【０００６】
また、特許文献２では、回動部を内蔵したカテーテルを制御する医療機器にトルク制御手段を設ける点が開示されている。しかし、これは、回動部を回動させる駆動トルクの伝達を制御するものであって、術者が手技を行っている過程で瞬時に所定値以上のトルクが管腔内挿入具に負荷されたことを判断させるものではない。
【特許文献１】特開２００５−２９６０７８公報
【特許文献２】特開平１０−６６６９６号公報
【発明の開示】
【発明が解決しようとする課題】
【０００７】
本発明は、上記の問題点を解決するためになされたものであり、第１の目的として管腔内挿入具に座屈が生じることを防止することで、可能なかぎり管腔内挿入具の交換を不必要とするものである。第２の目的として、トルクが所定値以上になったことを術者が手元で瞬時に感知することができる医療用具及びその医療用具を取り付けた管腔内挿入具及び管腔内挿入具を提供するものである。
【課題を解決するための手段】
【０００８】
〔請求項１の手段〕
請求項１に記載の医療用具は、一端側から生体管腔内に挿入されると共に他端側に操作部を有する細長い可撓性の管腔内挿入具に取り付けられる医療用具であって、操作部に連結されて管腔内挿入具に対し軸周りの回転方向に拘束される本体と、本体に接触を伴って係合し、本体と一体的に回転可能であると共に把持可能な筒体と、筒体を把持して筒体の軸方向に対し回転される際、トルクが所定値以上になると、本体と筒体との係合が回転方向に対し解除され、管腔内挿入具へのトルクの伝達を阻止するトルク制御機構とを備える。
【０００９】
これにより、トルクが所定値以上になると、筒体と本体との係合が外れるため、筒体を回転させても、本体に連結された管腔内挿入具を回転させることができなくなるため、管腔内挿入具に捩れ座屈を生じさせることはない。
この医療用具を使用することにより、術者は手元で係合が解除されることで、瞬時にトルクが所定値以上になったことを感知することができる。
【００１０】
〔請求項２の手段〕
請求項２に記載の医療用具は、筒体は、管腔内挿入具側に位置する筒体前端部と、管腔内挿入具側と反対側に位置する筒体後端部とを有し、トルク制御機構は、本体と筒体前端部との当接部、あるいは、本体と筒体後端部との当接部のいずれか一方に設けられている。
これにより、トルクが所定値以上になると、本体と筒体前端部との当接部、あるいは、本体と筒体後端部との当接部に設けられたトルク制御機構が機能するため、筒体を回転させても、本体に連結された管腔内挿入具を回転させることができず、管腔内挿入具に捩れ座屈を生じさせることはない。
この医療用具を使用することにより、術者は手元で係合が解除されることで、瞬時にトルクが所定値以上になったことを感知することができる。
【００１１】
〔請求項３の手段〕
請求項３に記載の医療用具は、本体は、管腔内挿入具側に位置する本体前端部と、管腔内挿入具側と反対側に位置する本体後端部とを有し、筒体は、本体前端部と当接可能な筒体前端部と、本体後端部と当接可能な筒体後端部とを有し、本体前端部と本体後端部の間で、本体前端部と本体後端部のいずれか一方と当接するように軸方向に移動可能に設けられ、トルク制御機構は、第１のトルク制御機構と第２のトルク制御機構とを有し、第１のトルク制御機構は、本体前端部と筒体前端部との当接部に設けられ、第２のトルク制御機構は、本体後端部と筒体後端部との当接部に設けられている。
【００１２】
これによれば、管腔内挿入具を生体管腔内に押し込む方向に動かしたい場合には、本体前端部と筒体前端部とを当接させて、本体前端部と筒体前端部との当接部に設けられた第１のトルク制御機構によりトルクを制御することができる。また、管腔内挿入具を生体管腔内から引き抜く方向に動かしたい場合には、筒体を移動させ、本体後端部と筒体後端部とを当接させて、本体後端部と筒体後端部との当接部に設けられた第２のトルク制御機構によりトルク制御することができる。このため、管腔内挿入具を生体管腔内へ押し込む作業時だけでなく、管腔内挿入具を生体管腔内から引き抜く作業時にもトルクの制御ができ、一連の手技においてトルク伝達のムラが生じることはほとんどない。
【００１３】
〔請求項４の手段〕
請求項４に記載の医療用具は、トルク制御機構は、本体に設けられた傾斜面を有する本体側歯部と、本体側歯部と噛合い係合可能な筒体に設けられた傾斜面を有する筒体側歯部とを備える。
これによれば、トルク制御は、歯部同士の噛合い係合の係脱によりなされる。このため、歯部同士の噛合い係合が外れる際の触覚的感覚や、係合が外れる際に発せられる音により、術者に瞬時にトルクが所定値以上に達したことを感知させることができる。
【００１４】
〔請求項５の手段〕
請求項５に記載の医療用具は、本体側歯部及び筒体側歯部は、順方向に回転させる際に接触する傾斜面と、逆方向に回転させる際に接触する傾斜面とで、傾斜角度が異なる。
傾斜面の角度が異なると、解除に要するトルクも異なるため、そのトルクの違いにより、術者が感覚で回転方向の感知をすることができる。
特に、回転により進退する管腔内挿入具の場合には、体内に挿入（進行）する際の回転方向を順方向とすると、捩れは往々にして順方向の回転時に生じる。そこで、例えば、この順方向に回転させる際に接触する傾斜面の傾斜角度が逆方向に回転させる際に接触する傾斜面の傾斜角度より小さく形成されることにより、順方向においては、繊細な作業が行え、逆方向においては、捩れを戻すために効率よくトルクを伝達して迅速な作業を行うことができる。また、逆回転時に捩れが生じやすい場合には、その逆にしてもよい。
【００１５】
〔請求項６の手段〕
請求項６に記載の医療用具は、第１のトルク制御機構の係合が解除されるトルクと、第２のトルク制御機構の係合が解除されるトルクの大きさが異なる。
これによれば、係合が解除されるトルクの大きさの違いにより、術者が感覚で進退方向のどちらでトルクが所定値以上となったのかを感知をすることができる。
また、特に、回転により進退する管腔内挿入具において、挿入する際に捩れが生じやすい手技であれば、例えば、第２のトルク制御機構の係合が解除されるトルクを、第１のトルク制御機構の係合が解除されるトルクよりも大きくすることにより、挿入作業においては、繊細な作業が行え、引き抜く作業においては、捩れを戻すために効率よくトルクを伝達して迅速な作業を行うことができる。また、引き抜く作業時に捩れが生じやすい場合には、その逆にしてもよい。
【００１６】
〔請求項７の手段〕
請求項７に記載の医療用具は、本体は、外周に少なくとも１つの本体側突起部を有し、筒体は、外周に本体側突起部とともに一連の突起部を形成する少なくとも１つの筒体側突起部を有する。
これにより、突起部が印となり、回転無負荷時の突起部の位置を「０位置」として確認しておき、作業時に突起部が０位置に来る毎に１回転したことを術者に認識させることができる。
【００１７】
〔請求項８の手段〕
請求項８に記載の医療用具を取り付けた管腔内挿入具は、ガイドワイヤ、カテーテル、バルーンカテーテルの内の一つである。
この医療用具を取り付けた管腔内挿入具であれば、術者は手元で瞬時にトルクが所定値以上になったことを知ることができ、捩れ座屈の発生を防止しながら手技が行われるため、交換のため管腔内挿入具を生体管腔から抜くといった再度手技を行なうことに伴う患者の負担増大を避けることができる。
【００１８】
〔請求項９の手段〕
請求項９に記載の医療用具を取り付けた管腔内挿入具は、一端に設けられた金属体からなる先端部と、少なくとも一部分が金属素線を巻回あるいは撚合わせてなるコイル体からなるシャフト部とを備える。
管腔内挿入具がコイル体を用いてなる場合は、可撓性やトルク伝達性に富むが、狭窄部等においてコイル体の素線間表面の凹凸に狭窄部が入り込む可能性があり、管腔内挿入具に所定値以上のトルクが作用し、管腔内挿入具に座屈が生じる可能性がある。しかし、医療用具を取り付けて使用することにより、コイル体からなることによる可撓性やトルク伝達性の良さを維持し、捩れ座屈を生じることなく、手技を継続することができる。
【００１９】
〔請求項１０の手段〕
請求項１０において、一端側から生体管腔内に挿入される細長い可撓性の管腔内挿入具は、一端に設けられる先端部と、少なくとも一部分が金属素線を巻回あるいは撚合わせてなるコイル体からなるシャフト部と、他端に設けられて体外において回転可能な操作部と、操作部の回転をシャフト部に伝達する医療用具とを備え、医療用具は、本体と、本体に接触を伴って係合し、本体と一体的に回転する筒体と、筒体の軸方向に対し回転される際、トルクが所定値以上になると、本体と筒体との係合が回転方向に対し解除され、先端部と本体へのトルクの伝達を阻止するトルク制御機構とを有する。
【００２０】
これにより、トルクが所定値以上になると、筒体と本体との係合が外れるため、筒体又は操作部を回転させても、本体に連結された先端部及びシャフト部を回転させることができなくなるため、先端部及びシャフト部に捩れ座屈を生じさせることはない。
また、この管腔内挿入具を使用する際、術者が把持して使用する場合には、術者は手元で係合が解除されることで、瞬時にトルクが所定値以上になったことを感知することができる。
【００２１】
〔請求項１１の手段〕
請求項１１の管腔内挿入具は、医療用具は、本体が、管腔内挿入具の先端部側に位置する本体前端部と、管腔内挿入具の先端部側と反対側に位置する本体後端部とを有し、筒体が、本体前端部と本体後端部の間で、いずれか一方と当接するように軸方向に移動可能に設けられると共に、本体前端部と当接可能な筒体前端部と、本体後端部と当接可能な筒体後端部とを有し、トルク制御機構が、第１のトルク制御機構と第２のトルク制御機構とを有し、第１のトルク制御機構は、本体前端部と筒体前端部との当接部に設けられ、第２のトルク制御機構は、本体後端部と筒体後端部との当接部に設けられている。
【００２２】
これによれば、管腔内挿入具を生体管腔内に押し込む方向に動かしたい場合には、本体前端部と筒体前端部とを当接させて、本体前端部と筒体前端部との当接部に設けられた第１のトルク制御機構によりトルクを制御することができる。また、管腔内挿入具を生体管腔内から引き抜く方向に動かしたい場合には、筒体を移動させ、本体後端部と筒体後端部とを当接させて、本体後端部と筒体後端部との当接部に設けられた第２のトルク制御機構によりトルク制御することができる。このため、管腔内挿入具を生体管腔内へ押し込む作業時だけでなく、管腔内挿入具を生体管腔内から引き抜く作業時にもトルクの制御ができ、一連の手技においてトルク伝達のムラが生じることはほとんどない。
【００２３】
〔請求項１２の手段〕
請求項１２の管腔内挿入具は、トルク制御機構は、本体に設けられた傾斜面を有する本体側歯部と、本体側歯部と噛合い係合可能な筒体に設けられた傾斜面を有する筒体側歯部とを備える。
これによれば、トルク制御は、歯部同士の係脱によりなされる。このため、歯部同士の噛合い係合が外れる際に発せられる音や、把持して使用される場合には歯の噛合い係合が外れる際の触覚的感覚等により、術者に瞬時にトルクが所定値以上に達したことを感知させることができる。
【００２４】
〔請求項１３の手段〕
請求項１３の管腔内挿入具は、本体側歯部及び筒体側歯部は、順方向に回転させる際に接触する傾斜面と、逆方向に回転させる際に接触する傾斜面とで、傾斜角度が異なる。
傾斜面の角度が異なると、解除に要するトルクも異なるため、そのトルクの違いにより、術者が把持して使用する場合には、感覚で回転方向の感知をすることができる。
また、例えば、この順方向に回転させる際に接触する傾斜面の傾斜角度が逆方向に回転させる際に接触する傾斜面の傾斜角度より小さく形成されることにより、順方向においては、繊細な作業が行え、逆方向においては、順方向回転時に生じた捩れを戻すために効率よくトルクを伝達して迅速な作業を行うことができる。
【００２５】
〔請求項１４の手段〕
請求項１４の管腔内挿入具は、第１のトルク制御機構の係合が解除されるトルクと、第２のトルク制御機構の係合が解除されるトルクの大きさが異なる。
これによれば、術者が把持して使用する場合には、係合が解除されるトルクの大きさの違いにより、感覚で進退方向のどちらでトルクが所定値以上となったのかを感知をすることができる。
また、特に、回転により進退する管腔内挿入具において、挿入する際に捩れが生じやすい手技であれば、例えば、第２のトルク制御機構の係合が解除されるトルクを、第１のトルク制御機構の係合が解除されるトルクよりも大きくすることにより、挿入作業においては、繊細な作業が行え、引き抜く作業においては、捩れを戻すために効率よくトルクを伝達して迅速な作業を行うことができる。
【発明を実施するための最良の形態】
【００２６】
最良の形態１の医療用具は、一端側から生体管腔内に挿入されると共に他端側に操作部を有する細長い可撓性の管腔内挿入具に取り付けられる医療用具であって、操作部に連結されて管腔内挿入具に対し軸周りの回転方向に拘束される本体と、本体に接触を伴って係合し、本体と一体的に回転可能であると共に把持可能な筒体と、筒体を把持して筒体の軸方向に対し回転される際、トルクが所定値以上になると、本体と筒体との係合が回転方向に対し解除され、管腔内挿入具へのトルクの伝達を阻止するトルク制御機構とを備える。
筒体は、管腔内挿入具側に位置する筒体前端部と、管腔内挿入具側と反対側に位置する筒体後端部とを有し、トルク制御機構は、本体と筒体前端部との当接部、あるいは、本体と筒体後端部との当接部のいずれか一方に設けられている。
【００２７】
ここで、トルク制御機構は、本体に設けられた傾斜面を有する本体側歯部と、本体側歯部と噛合い係合可能な筒体に設けられた傾斜面を有する筒体側歯部とを備える。
また、本体側歯部及び筒体側歯部は、順方向に回転させる際に接触する傾斜面と、逆方向に回転させる際に接触する傾斜面とで、傾斜角度が異なる。
本体は、外周に少なくとも１つの本体側突起部を有し、筒体は、外周に本体側突起部とともに一連の突起部を形成する少なくとも１つの筒体側突起部を有する。
そして、この医療用具を取り付けた管腔内挿入具は、一端に設けられた金属体からなる先端部と、少なくとも一部分が金属素線を巻回あるいは撚合わせてなるコイル体からなるシャフト部とを備える。
【００２８】
最良の形態２の医療用具は、本体は、管腔内挿入具側に位置する本体前端部と、管腔内挿入具側と反対側に位置する本体後端部とを有し、筒体は、本体前端部と当接可能な筒体前端部と、本体後端部と当接可能な筒体後端部とを有し、本体前端部と本体後端部の間で、本体前端部と本体後端部のいずれか一方と当接するように軸方向に移動可能に設けられ、トルク制御機構は、第１のトルク制御機構と第２のトルク制御機構とを有し、第１のトルク制御機構は、本体前端部と筒体前端部との当接部に設けられ、第２のトルク制御機構は、本体後端部と筒体後端部との当接部に設けられている。
第１のトルク制御機構の係合が解除されるトルクと、第２のトルク制御機構の係合が解除されるトルクの大きさが異なる。
【００２９】
最良の形態３の管腔内挿入具は、一端側から生体管腔内に挿入される細長い可撓性の管腔内挿入具は、一端に設けられる先端部と、少なくとも一部分が金属素線を巻回あるいは撚合わせてなるコイル体からなるシャフト部と、他端に設けられて体外において回転可能な操作部と、操作部の回転をシャフト部に伝達する医療用具とを備え、医療用具は、本体と、本体に接触を伴って係合し、本体と一体的に回転する筒体と、筒体の軸方向に対し回転される際、トルクが所定値以上になると、本体と筒体との係合が回転方向に対し解除され、先端部と本体へのトルクの伝達を阻止するトルク制御機構とを有する。
ここで、医療用具は、本体が、管腔内挿入具の先端部側に位置する本体前端部と、管腔内挿入具の先端部側と反対側に位置する本体後端部とを有し、筒体が、本体前端部と本体後端部の間で、いずれか一方と当接するように軸方向に移動可能に設けられると共に、本体前端部と当接可能な筒体前端部と、本体後端部と当接可能な筒体後端部とを有し、トルク制御機構が、第１のトルク制御機構と第２のトルク制御機構とを有し、第１のトルク制御機構は、本体前端部と筒体前端部との当接部に設けられ、第２のトルク制御機構は、本体後端部と筒体後端部との当接部に設けられている。
トルク制御機構は、本体に設けられた傾斜面を有する本体側歯部と、本体側歯部と噛合い係合可能な筒体に設けられた傾斜面を有する筒体側歯部とを備える。
そして、本体側歯部及び筒体側歯部は、順方向に回転させる際に接触する傾斜面と、逆方向に回転させる際に接触する傾斜面とで、傾斜角度が異なる。また、第１のトルク制御機構の係合が解除されるトルクと、第２のトルク制御機構の係合が解除されるトルクの大きさが異なる。
【実施例１】
【００３０】
実施例１の医療用具１の構成を、図１ないし図３を用いて説明する。
医療用具１は、狭窄部用カテーテル１０（管腔内挿入具の一例）の他端（手元）側（図示右側）に取り付けられる。
狭窄部用カテーテル１０は、少なくとも一部分が金属素線を巻回あるいは撚合わせてなるコイル体からなるシャフト部１１と、シャフト部１１の一端（図示左側）に設けられた金属体からなる先端部１２と、シャフト部１１の手元側に設けられた操作部１３からなる（図１参照）。
【００３１】
シャフト部１１は、ステンレスからなる細長い複数の金属素線を緊密に撚合わせてなる撚り線コイル体にて構成されている。金属素線の形成材料としては、ステンレスに限定されることなく、従来から使用され、可撓性を有する金属材料が適宜に用いられ得る。例えば、Ｎｉ−Ｔｉ合金等の超弾性合金が、単独で、あるいはステンレスと組み合わされ使用される。
【００３２】
また、撚り線コイル体を形成する金属素線の数は、シャフト部１１に望まれる可撓性と剛性のバランス等に応じて適宜に決定される。例えば、直径が０．０７５〜０．２０ｍｍの素線を６〜１６本程度（好ましくは８〜１２本）を、ピッチが１．７０〜１．９０ｍｍの範囲で撚合わせて形成される。本実施例では、直径０．１８ｍｍの８本の素線をピッチ１．７８ｍｍで撚合わせて形成されている。
尚、シャフト部１１のコイル体は、撚り線コイル体に限定されることなく、１本あるいは複数の金属線を巻回してコイル体を形成してもよい。
シャフト部１１の先端部分は、外周を研削等により先細りとなるようテーパ加工されている。
【００３３】
先端部１２は、放射線不透過材料で形成された円筒状の金属体がシャフト部１１の体腔内に挿入される側の先端部分に固着されて形成されている。放射線不透過性材料としては、例えば、金、白金、白金ロジウムなどが使用できる。本実施例では、白金にて形成されている。
操作部１３の手元端部には、医療用具１と連結させるための円筒接続部１４が形成されている。円筒接続部１４の手元端には外径が径大のフランジ部１５が形成されており、そのフランジ部１５の外周面には外周ネジ１５ａが形成されている。
【００３４】
この狭窄部用カテーテル１０は、手元で軸周りに回転させることで、撚り線コイル体のピッチに応じて進退するものであり、ガイドワイヤ通過後の拡張デバイスなどが通過困難な狭窄部に対して、ねじ込んで通過させることにより、その後の手技に用いる拡張デバイスなどが通過させる通路を確保するものである。
【００３５】
一般的に、狭窄部用カテーテルは、例えば、全体の長さが７５０〜１５３０ｍｍ、シャフト部１１の長さが３５０〜１１００ｍｍ、外径０．５０〜１．００ｍｍ、内径０．３５〜０．６６ｍｍ、先端部１２の長さが０．５〜１．０ｍｍ、外径０．５０〜１．００ｍｍ、内径０．３０〜０．５０ｍｍの範囲で適宜に決定される。
尚、本実施例の狭窄部用カテーテル１０は、全体の長さが１４５０ｍｍである。また、シャフト部１１の長さは１０５０ｍｍ、最大外径は０．７１ｍｍ、最大内径は０．４６ｍｍであり、先端部１２の長さは１．０ｍｍであり、外径は０．６２ｍｍ、内径は０．４０ｍｍである。狭窄部用カテーテル１０の長さ、外径等は、本実施例に限定されず、使用目的に応じて適宜に決定される。
【００３６】
医療用具１は、狭窄部用カテーテル１０に対し軸周り回転方向に拘束される本体２と、本体２に接触を伴って係合し、本体２と一体的に回転可能な筒体３と、筒体３を把持して軸方向を略中心に回転させる際、トルクが所定値以上になると、本体２と筒体３との係合が回転方向に解除され、狭窄部用カテーテル１０へのトルクの伝達を阻止するトルク制御機構４とを備える。
以下、医療用具１の説明中での前端側（管腔内挿入具側）は図示左側であり、後端側（管腔内挿入具側と反対側）は図示右側とする。
【００３７】
本体２は、円筒状を呈しており、細長棒状の棒状部２１と、棒状部２１の前端側に棒状部２１と一体的に棒状部２１よりも径大に設けられると共に後端面が筒体３との当接部となる本体径大部２２と、棒状部２１の後端部に螺着されたストッパ２３とからなる。尚、本体２の筒内部２４にはガイドワイヤ等を挿通することが可能となっている。
棒状部２１は、本体径大部２２との境界部分に、本体径大部２２の外径よりも小さく、後述する筒体３の前端部の内径よりもわずかに小さい中径部２１ａを有する｛（図２（ｃ）参照｝。中径部２１ａよりも後端側では、棒状部２１は中径部２１ａよりも小さい径で、軸方向にわたり略同一径である。
【００３８】
本体径大部２２は前端側に外筒部２５が設けられており、外筒部２５の内周面には内周ネジ２５ａが形成されている。また、外筒部２５の中央には、前端側へ突出した先端テーパ状の中央内筒部２６が設けられている。中央内筒部２６の前端は、外筒部２５の前端よりも前端側へ突出している。外筒部２５と中央内筒部２６との間には円筒形状の円筒凹所２７が形成される。
【００３９】
本体２と狭窄部用カテーテル１０との連結は、外筒部２５の内周ネジ２５ａとフランジ部１５の外周ネジ１５ａとを螺合させて、円筒凹所２７内に円筒接続部１４を挿入すると共に、円筒接続部１４の筒内部に中央内筒部２６が挿入されることによってなされる（図１（ｅ）参照）。
本体２は、本体径大部２２の後端側において、筒体３の筒内部に遊挿されている。
【００４０】
筒体３は、管腔内挿入具側に位置する筒体前端部ＣＦと、管腔内挿入具側と反対側に位置する筒体後端部ＣＲとを有する円筒状を呈しており、筒体３の筒内部には本体２の本体径大部２２より後端側が遊挿されている。
筒体前端部ＣＦには、本体径大部２２と略同じ外径に筒体係合部３１が形成されており、筒体３の前端面は、本体径大部２２の後端面に当接可能となっている。
【００４１】
筒体係合部３１から筒体後端部ＣＲに向けて、筒体係合部３１よりも外径が小さく形成された絞り部３２、絞り部３２から徐々に外径が大きくなるテーパを有する手持ち部３３が順に設けられている。
術者が筒体３を把持する場合には、絞り部３２を指で摘まんで、手持ち部３３を握って使用することができる。
筒体３の筒内部には、手持ち部３３の内部に段部３４を介して後端側に内径が径大の径大部３５を有している。
【００４２】
筒体３は、スプリングＳにより、本体径大部２２側に付勢されており、筒体３の前端面が本体径大部２２の後端面に当接している。
スプリングＳは、本体２の棒状部２１の外周に挿通されるとともに、筒体３の径大部３５の内部に配されて、前端が筒体３の段部３４に係止されている。そして、後端は、筒体３の内部で棒状部２１の後端に螺着されたストッパ２３により係止されている。尚、このストッパ２３の軸方向への位置を変えることによりスプリングＳの伸縮調節が可能である。
【００４３】
本実施例のトルク制御機構４は、本体２に設けられた傾斜面を有する本体側歯部４２と、筒体３に設けられた傾斜面を有する筒体側歯部４３とを有し、歯部同士の係脱によりなされる機構であり、本体２と筒体前端部ＣＦとの当接部に設けられている。
具体的には、本体側歯部４２は、本体径大部２２の筒体３との対向面（後端面）に設けられ、筒体側歯部４３は、筒体３の本体径大部２２との対向面（前端面）に設けられることにより、本体２と筒体前端部ＣＦとの当接部にトルク制御機構４が設けられている。
【００４４】
本体側歯部４２及び筒体側歯部４３の歯形状は、それぞれ、傾斜面４４、４５からなる三角形状をしている。順方向に回転させる際に歯部同士が接触する傾斜面４４と、逆方向に回転させる際に歯部同士が接触する傾斜面４５とで傾斜角度が異なる。傾斜面４４は、回転軸に対して９〜４５度の範囲で、好ましくは１５度傾斜しており、傾斜面４５は、９〜９０度未満の範囲で、好ましくは３０度傾斜している。本体側歯部４２及び筒体側歯部４３は、それぞれ円周上等間隔に８山形成されている。歯の高さは０．３〜１．５ｍｍ（好ましくは０．５ｍｍ）である。
【００４５】
スプリングＳによる付勢力と、本体側歯部４２及び筒体側歯部４３の形状により、筒体３と本体２との間の回転方向の係合力が決定される。トルクがこの係合力よりも大きいときには、本体側歯部４２と筒体側歯部４３との噛合い係合が外れる。本実施例では、この係合力が狭窄部用カテーテル１０の材料特性等により、狭窄部用カテーテル１０が捩れ座屈を生じない程度の所定値に設定されており、筒体３を把持して軸方向を略中心に回転させる際、トルクが所定値以上になると、本体２と筒体３との噛合い係合を解除し、狭窄部用カテーテル１０へのトルクの伝達を阻止する。
【００４６】
また、本体２は、本体径大部２２の外周に、外方に突出すると共に軸方向に延びる本体側突起部２８を有している。本体側突起部２８は、本体径大部２２の外周に９０度間隔で４つ設けられている。そして、筒体３は、筒体係合部３１の外周に、外方に突出すると共に軸方向に延びる筒体側突起部３７を有している。筒体側突起部３７は、筒体係合部３１の外周に９０度間隔で４つ設けられており、４つのうちの１つは、他の３つの筒体側突起部３７よりも長く、絞り部３２及び手持ち部３３まで延長されている。筒体側突起部３７と本体側突起部２８とは、軸方向に並んで一連の突起部Ｐを形成している。
【００４７】
尚、本体２、ストッパ２３、筒体３は、耐磨耗性が高いポリアセタールを用いて射出成型により形成されている。本体２、ストッパ２３、筒体３の形成材料としては、ポリアセタールに限定されず、ポリカーボネート、ポリサルホン、ポリエチレン、ポリプロピレン、ポリアミド等の樹脂により形成される。また、本体２、ストッパ２３、筒体３の形成方法は、射出成型に限定されず、切削加工等により形成してもよい。
【００４８】
本実施例の医療用具１及びその医療用具１を取り付けた管腔内挿入具を用いて血管、消化管、尿管などの生体管腔内における診断治療、例えば、管腔内挿入具として狭窄部用カテーテル１０を用いて、心臓血管内の狭窄部を拡張する手技を行うには、以下のような手順に従って、その手技が進められる。
【００４９】
まず、ガイドワイヤが心臓の血管内に形成された狭窄部に挿通される。それによって、狭窄部に挿通孔が形成される。このとき、ガイドワイヤは狭窄部の比較的柔らかい部分を通過する。
次に、狭窄部用カテーテル１０の操作部１３に医療用具１を固定する。
【００５０】
そして、ガイドワイヤの血管内への挿入側とは反対側の端部が狭窄部用カテーテル１０および医療用具１の本体２の筒内部２４に挿入される。狭窄部用カテーテル１０がガイドワイヤに沿って血管内に挿入される。尚、この作業は、放射線透視下で実施される。
狭窄部用カテーテル１０の先端に設けられた放射線不透過材料からなる金属体の先端部１２の位置、つまり、狭窄部用カテーテル１０の先端位置を確認しながら、狭窄部用カテーテル１０の先端部１２が血管内の狭窄部にまで挿入される。
【００５１】
そして、狭窄部用カテーテル１０の先端部１２が血管内の狭窄部に達したら、狭窄部用カテーテル１０の手元側に固定した医療用具１の筒体３を把持して押しながら回転させることによって、筒体３から本体２に、本体側歯部４２及び筒体側歯部４３を介してトルクが伝達される。従って、この場合、筒体３と本体２と狭窄部用カテーテル１０とは一体的に回転し、狭窄部用カテーテル１０は、シャフト部１１の撚り線コイル体のピッチに応じて生体管腔内へ押し込まれる方向へと進行し、狭窄部用カテーテル１０の先端部１２が狭窄部に形成された挿通孔内にねじ込まれる。
よって、先端部１２とコイル体からなるシャフト部１１の先端側とが、挿通孔を押し広げつつ、狭窄部内に挿入される。
その結果、狭窄部がシャフト部１１の先端部分の外径と概ね同じ大きさまで拡張される。
【００５２】
そして、狭窄部用カテーテル１０が血管内から引き抜かれた後、バルーンカテーテルがガイドワイヤに沿って血管内に挿入されて狭窄部のさらなる拡張作業とともにステントが狭窄部に配置され、狭窄部の拡張を維持する。
【００５３】
尚、筒体３と本体２と狭窄部用カテーテル１０とは一体的に回転している場合には、筒体側突起部３７と本体側突起部２８とは軸方向に並んで一連の突起部Ｐを形成した状態で回転するので、術者は、無負荷（回転前）の突起部Ｐの位置を「０位置」として確認しておくことで、作業時に突起部Ｐが０位置に来る毎に１回転したことを認識することができる。これにより、回転数のカウントをすることができる。
そして、狭窄部用カテーテル１０のコイル体からなるシャフト部１１の撚り線コイル体のピッチを予め確認しておくことで、１回転による狭窄部用カテーテル１０の移動距離が分かるため、回転数をカウントすることにより、病変長を測定することも可能となる。
【００５４】
この手技において、狭窄部用カテーテル１０が血管内に挿入される際、あるいは、狭窄部に挿入される際に、狭窄部用カテーテル１０の先端等が血管内壁や狭窄部に突き当たると、トルクが大きくなり、所定値以上のトルクが生じる場合がある。
この所定値以上のトルクが生じた場合は、医療用具１の本体２と筒体３の噛合い係合が解かれ、筒体３が本体２に対し、相対回転をすることになり、本体２へのトルクの伝達が阻止され、その結果、狭窄部用カテーテル１０へのトルクの伝達が阻止される。
【００５５】
これによって、本体２と筒体３の噛合いが解かれる際の筒体側歯部４３の山が本体側歯部４２の山を越えることによる噛合い状態からの浮き上がりによる触覚的感覚や、複数個の山を越える際に生じる本体２に対する筒体３の相対回転による触覚的感覚によって、術者は瞬時に狭窄部用カテーテル１０に所定値以上のトルクが生じたことを感知することができる。
【００５６】
さらに、筒体側歯部４３の本体２に対する相対回転時の筒体側歯部４３の山と谷が本体側歯部４２の山と谷に対し、衝突しながら相対回転する際の音による聴覚的感覚により、術者は瞬時に狭窄部用カテーテル１０に所定値以上のトルクが生じたことを感知することができる。
特に、一対の山を越える際の浮き上がりの僅かな触覚的感覚が術者に伝達されることにより、体内に大きな負荷が作用する前に術者に手技における注意を喚起することができる。
【００５７】
また、筒体３が本体２に対し相対回転をすると、筒体側突起部３７が本体側突起部２８に対し相対回転するため、筒体側突起部３７と本体側突起部２８とは軸方向に並ばなくなり、一連の突起部Ｐを形成しなくなり、これによっても、所定値以上のトルクが生じたことを感知することができる。
さらに、筒体側突起部３７が本体側突起部２８に対し相対回転して筒体側突起部３７と本体側突起部２８とは軸方向に並んでいないことを目で見て、トルクが所定値以上になったことを再確認することもできる。尚、筒体側突起部３７と本体側突起部２８とに色、マーク等の標識を設ければ、トルクが所定値以上になったことを、目視により再確認する際の効果を高めることができる。
【００５８】
以上のように、術者は瞬時に狭窄部用カテーテル１０に所定値以上のトルクが生じたことを感知することにより、不要な負荷を体内に作用させることを未然に防止できる。
術者はこの感知の後、直ちに狭窄部用カテーテル１０の所定値以上のトルクが生じた原因を解消するため、例えば、狭窄部用カテーテル１０を血管内への挿入時とは逆方向に回転させながら体外方向へ引く。そして、所定値以上のトルクを生じた原因、例えば、狭窄部にとらえられた狭窄部用カテーテル１０の先端部１２を狭窄部から離し、再度手技を継続する。
【００５９】
ここで、本体２および筒体３の歯形状は、狭窄部用カテーテル１０を体内に挿入する際の回転方向を順方向とすると、この順方向に回転させる際に接触する傾斜面４４の傾斜角度が逆方向に回転させる際に接触する傾斜面４５の傾斜角度より小さく形成されている。
すなわち、逆方向への回転の所定のトルク値が順方向への回転の所定のトルク値より大きく形成されている。
このため、逆方向の回転においては、本体側歯部４２と筒体側歯部４３とが噛合い係合し、逆方向、つまり、狭窄部用カテーテル１０の捩れを戻す方向へ大きなトルクを伝達することができる。
【００６０】
この際、逆方向への回転は狭窄部用カテーテル１０の捩れを戻す方向の回転のため、大きなトルクを作用させて迅速に回転させる方が効率のよい作業が行える。
すなわち、順方向においては、繊細な作業が行え、逆方向においては迅速な作業を行うことができる。
【００６１】
従って、従来のように所定値以上のトルクが生じることで座屈した狭窄部用カテーテル１０を血管内から抜き取り、交換して、再度血管内に挿入しなおすことによる手技の遅延を回避することができる。
すなわち、狭窄部用カテーテル１０に座屈を生じさせることなく、狭窄部用カテーテル１０の交換が不要で手技を継続することができる。さらに、術者に所定以上のトルクが狭窄部用カテーテル１０に生じたことを瞬時に感知させることができる。
【００６２】
特に、狭窄部用カテーテル１０のように管腔内挿入具がコイル体を用いてなる場合は、その構造上、可撓性やトルク伝達性に富むが、狭窄部等においてコイル体の素線間表面の凹凸に狭窄部が入り込む可能性があり、管腔内挿入具に所定値以上のトルクが作用し、管腔内挿入具に座屈が生じる可能性がある。
本実施例の医療用具１を用いることにより、管腔内挿入具への所定値以上のトルクの伝達を防止し、管腔内挿入具に座屈を生じさせることなく、さらに、その原因を解消する手技を行うことで、管腔内挿入具がコイル体からなる場合であっても、そのコイル体からなることによる可撓性やトルク伝達性の良さを維持し、手技を継続することができる。
すなわち、座屈による管腔内挿入具の交換を不要にできる。さらに、術者が所定値以上のトルクが生じたことを瞬時に感知することで、術者はより安全に手技を行うことができる。
【００６３】
尚、本実施例では、本体２と筒体前端部ＣＦとの当接は、本体径大部２２の後端面と筒体３の前端面との当接によるものであったが、これに限らずその他の態様でもよい。例えば、本体２は、筒体前端部ＣＦの前端面及び外周面と当接するものであってもよい。
また、本実施例では、筒体３は、スプリングＳにより、前端側に付勢されており、筒体３の前端面が本体径大部２２の後端面に当接しており、トルク制御機構４はその当接部に設けられたが、筒体３がスプリングＳにより後端側に付勢されており、トルク制御機構４は管腔内挿入具側と反対側に位置する筒体後端部ＣＲと本体２との当接部に設けられていてもよい。
【実施例２】
【００６４】
実施例２の医療用具１の構成を、実施例１と異なる点を中心に、図４を用いて説明する。尚、以下の実施例では、上述した実施例１と同一符号は、同一機能物を示すものである。
本実施例の医療用具１において、本体２は、管腔内挿入具側に位置する本体前端部ＢＦと、管腔内挿入具側と反対側に位置する本体後端部ＢＲとを有する。
そして、筒体３は、本体前端部ＢＦと当接可能な筒体前端部ＣＦと、本体後端部ＢＲと当接可能な筒体後端部ＣＲを有する。
【００６５】
本体前端部ＢＦには、棒状部２１の前端側に棒状部２１と一体的に本体径大部２２が形成されている。
本体後端部ＢＲには、棒状部２１及び本体径大部２２とは別体に設けられると共に、棒状部２１の後端に嵌合された嵌込部材２９が設けられている。
嵌込部材２９は、後端に径が外方に拡大した鍔２９ａを有する略円筒状を呈しており、鍔２９ａの外径は、手持ち部３３の外径と略同じであり、鍔２９ａの前端面は、筒体３の後端面と対向している。
【００６６】
本体径大部２２の後端面と、嵌込部材２９の鍔２９ａの前端面との間の間隔は、筒体３の軸方向長さよりも大きく、筒体３は、棒状部２１をガイドとして、本体径大部２２−嵌込部材２９間を軸方向に移動可能となっている。
通常の状態では、筒体３はスプリングＳにより本体径大部２２側に付勢されて、筒体３の前端面が本体径大部２２の後端面に当接し、このとき、筒体３の後端面と鍔２９ａの前端面とは当接しない。
また、スプリングＳの付勢力に抗して、筒体３を後端側へ引っ張ると、筒体３の後端面は鍔２９ａの前端面と当接し、このとき、筒体３の前端面と本体径大部２２の後端面とは当接しない。
【００６７】
そして、本実施例のトルク制御機構４は、第１のトルク制御機構４Ａと第２のトルク制御機構４Ｂとを有する。
第１のトルク制御機構４Ａは、本体前端部ＢＦと筒体前端部ＣＦとの当接部に設けられ、第２のトルク制御機構４Ｂは、本体後端部ＢＲと筒体後端部ＣＲとの当接部に設けられる。
【００６８】
具体的には、本体径大部２２の筒体３との対向面（後端面）に本体側歯部４２が設けられ、筒体３の本体径大部２２との対向面（前端面）に筒体側歯部４３が設けられることにより、本体前端部ＢＦと筒体前端部ＣＦとの当接部に第１のトルク制御機構４Ａが設けられている。また、第２のトルク制御機構４Ｂは、鍔２９ａの前端面に本体側歯部４６が設けられ、筒体後端部ＣＲの後端面に筒体側歯部４７が設けられることにより、本体後端部ＢＲと筒体後端部ＣＲとの当接部に第２のトルク制御機構４Ｂが設けられている。
【００６９】
本体側歯部４２及び筒体側歯部４３の歯形状は、実施例１に記載したとおりである。
本体側歯部４６及び筒体側歯部４７の歯形状は、それぞれ傾斜面４８、４９からなる三角形状をしている。順方向に回転させる際に歯部同士が接触する傾斜面４８と、逆方向に回転させる際に歯部同士が接触する傾斜面４９とで傾斜角度が異なる。
【００７０】
そして、本実施例では、第２のトルク制御機構４Ｂの係合が解除されるトルクは、第１のトルク制御機構４Ａの係合が解除されるトルクよりも大きくなっている。すなわち、本体側歯部４６及び筒体側歯部４７は、本体側歯部４２及び筒体側歯部４３よりも、傾斜面４８、４９の傾斜角度や歯の高さが高くなっており、本体側歯部４６と筒体側歯部４７との噛合い係合を解除するのに必要なトルクが、本体側歯部４２と筒体側歯部４３との噛合い係合を解除するのに必要なトルクよりも大きくなっている。
【００７１】
本実施例の医療用具１及びその医療用具１を取り付けた狭窄部用カテーテル１０を用いて、心臓血管内の狭窄部を拡張する手技を行う手順を、実施例１と異なる点を中心に以下に説明する。
【００７２】
実施例１に記載の手順と同様の手順で、狭窄部用カテーテル１０の先端部１２が血管内の狭窄部に到達させ、狭窄部用カテーテル１０の手元側に固定した医療用具１の筒体３を把持して押しながら回転させると、通常の状態では、筒体３の前端面が本体径大部２２の後端面に当接しているため、本体側歯部４２及び筒体側歯部４３を介して、筒体３から本体２に、トルクが伝達される。
従って、この場合、筒体３と本体２と狭窄部用カテーテル１０とは一体的に回転し、狭窄部用カテーテル１０は、シャフト部１１の撚り線コイル体のピッチに応じて生体管腔内へ押し込まれる方向へと進行し、狭窄部用カテーテル１０の先端部１２が狭窄部に形成された挿通孔内にねじ込まれる。
【００７３】
この手技において、狭窄部用カテーテル１０が血管内に挿入される際、あるいは、狭窄部に挿入される際に、狭窄部用カテーテル１０の先端等が血管内壁や狭窄部に突き当たると、トルクが大きくなり、所定値以上のトルクが生じる場合がある。
この所定値以上のトルクが生じた場合は、第１のトルク制御機構４Ａが機能し、本体側歯部４２と筒体側歯部４３との噛合い係合が解かれ、筒体３が本体２に対し、相対回転をすることになり、本体２へのトルクの伝達が阻止され、その結果、狭窄部用カテーテル１０へのトルクの伝達が阻止される。
【００７４】
これによって、本体２と筒体３の噛合いが解かれる際の筒体側歯部４３の山が本体側歯部４２の山を越えることによる噛合い状態からの浮き上がりによる触覚的感覚や、複数個の山を越える際に生じる本体２に対する筒体３の相対回転による触覚的感覚や、筒体側歯部４３の本体２に対する相対回転時の筒体側歯部４３の山と谷が本体側歯部４２の山と谷に対し衝突しながら相対回転する際の音による聴覚的感覚によって、術者は瞬時に狭窄部用カテーテル１０に所定値以上のトルクが生じたことを感知することができる。
また、筒体３が本体２に対し相対回転をすると、筒体側突起部３７が本体側突起部２８に対し相対回転するため、筒体側突起部３７と本体側突起部２８とは軸方向に並ばなくなり、一連の突起部Ｐを形成しなくなり、これによっても、所定値以上のトルクが生じたことを感知することができる。
【００７５】
術者はこの感知の後、直ちに狭窄部用カテーテル１０の所定値以上のトルクが生じた原因を解消するため、例えば、狭窄部用カテーテル１０を血管内への挿入時とは逆方向に回転させながら体外方向へ引く。
この際、術者は、狭窄部用カテーテル１０を体外方向に引くために、筒体３を把持して逆方向に回転させると同時に、医療用具１の筒体３を後端側に引張力を加えることがある。
【００７６】
この場合、術者がスプリングＳの付勢力よりも大きな力で引張ると、筒体係合部３１の前端面が本体径大部２２の後端面から離れ、筒体３の後端面が鍔２９ａの前端面と当接し、本体側歯部４６と筒体側歯部４７とが噛合い係合する。すなわち、第２のトルク制御機構４Ｂが、狭窄部用カテーテル１０に所定値以上のトルクが生じないようにトルクを制御する。
【００７７】
筒体３を後端側に引張る際には、狭窄部用カテーテル１０を体外方向に引き筒体３を逆方向に回転させて狭窄部用カテーテル１０の捩れを戻す作業が主となる。
そこで、本実施例では、本体側歯部４６及び筒体側歯部４７は、本体側歯部４２及び筒体側歯部４３よりも、傾斜面４８、４９の傾斜角度や歯の高さが高くなっており、本体側歯部４６と筒体側歯部４７との噛合い係合を解除するのに必要なトルクを、本体側歯部４２と筒体側歯部４３との噛合い係合を解除するのに必要なトルクよりも大きくすることにより、筒体３を把持して逆方向に回転させる際のトルク伝達がしやすく、狭窄部用カテーテル１０の捩れを戻そうとする作業が効率よく行えるようになっている。
【００７８】
また、筒体３を引張りながらの作業では、スプリングＳの付勢力に抗しながら作業をしなくてはならないため、スプリングＳの付勢力が大きい場合には、小さなトルクで本体側歯部４６と筒体側歯部４７との噛合い係合が解除されてしまうと、使用しにくくなる可能性が懸念される。本実施例では、そのような場合であっても、本体側歯部４６と筒体側歯部４７との噛合い係合を解除するのに必要なトルクが、本体側歯部４２と筒体側歯部４３との噛合い係合を解除するのに必要なトルクよりも大きくなっているために、順方向に回転させる場合でも逆方向に回転させる場合でも筒体３を引張りながらの作業が行い易くなっている。
【００７９】
また、本体側歯部４６及び筒体側歯部４７も、本体側歯部４２及び筒体側歯部４３と同様に、順方向に回転させる際に接触する傾斜面４８の傾斜角度が逆方向に回転させる際に接触する傾斜面４９の傾斜角度より小さく形成されている。すなわち、逆方向への回転の所定のトルク値が順方向への回転の所定のトルク値より大きく形成されている。
これにより、筒体３を後端側に引張りながら作業する場合においても、逆回転方向、つまり、狭窄部用カテーテル１０の捩れを戻す方向へより大きなトルクを伝達することができ、順方向においては、繊細な作業が行え、逆方向においては迅速な作業を行うことができる。
【００８０】
尚、術者が、後端側へ引張らずに作業をしている場合もしくはスプリングＳの付勢力よりも小さい範囲で引張っている場合は、筒体係合部３１の前端面が本体径大部２２の後端面に当接し、本体側歯部４２と筒体側歯部４３とが係合して、第１のトルク制御機構４Ａのトルクが所定値以上にならないように制御する。
【００８１】
以上のように、本実施例によれば、実施例１の効果に加え、狭窄部用カテーテル１０を生体管腔内から引き抜く方向に動かしたい場合に、術者が筒体３を後端側へ引張り、筒体係合部３１の前端面が本体径大部２２の後端面から離れてしまった場合でも、筒体３の後端面が鍔２９ａの前端面と当接するため、本体側歯部４６と筒体側歯部４７とが噛合い係合しながら作業を行うことができる。
すなわち、狭窄部用カテーテル１０を生体管腔内へ押し込む作業時だけでなく、狭窄部用カテーテル１０を生体管腔内から引き抜く作業時にもトルクの制御ができ、一連の手技の中においてもトルクの伝達のムラが生じることはほとんどない。
【実施例３】
【００８２】
実施例３（請求項１０〜請求項１４に対応）の管腔内挿入具１０Ａの構成を、図５を用いて説明する。本実施例の管腔内挿入具１０Ａは、一端に設けられる先端部１２と、少なくとも一部分が金属素線を巻回あるいは撚合わせてなるコイル体からなるシャフト部１１と、他端に設けられて体外において回転可能な操作部１３と、操作部１３の回転を、シャフト部１１に伝達する医療用具１とを備える管腔内挿入具１０Ａである。
医療用具１は、本体２と、本体２に接触を伴って係合し、本体２と一体的に回転する筒体３と、筒体３の軸方向に対し回転される際、トルクが所定値以上になると、本体２と筒体３との係合が回転方向に対し解除され、先端部１２と本体２へのトルクの伝達を阻止するトルク制御機構４とを有する。
【００８３】
本実施例の医療用具１は、本体２が、管腔内挿入具１０Ａの先端部側に位置する本体前端部ＢＦと、管腔内挿入具１０Ａの先端部側と反対側に位置する本体後端部ＢＲとを有し、筒体３が、本体前端部ＢＦと本体後端部ＢＲの間で、いずれか一方と当接するように軸方向に移動可能に設けられると共に、本体前端部ＢＦと当接可能な筒体前端部ＣＦと、本体後端部ＢＲと当接可能な筒体後端部ＣＲとを有し、トルク制御機構４が、第１のトルク制御機構４Ａと第２のトルク制御機構４Ｂとを有し、第１のトルク制御機構４Ａは、本体前端部ＢＦと筒体前端部ＣＦとの当接部に設けられ、第２のトルク制御機構４Ｂは、本体後端部ＢＲと筒体後端部ＣＲとの当接部に設けられているものであり、実施例２に記載の医療用具１と同様の構成である。
そして、筒体３の軸方向に対し回転される際、トルクが所定値以上になると、本体２と筒体３との係合が回転方向に対し解除され、先端部１２と本体２へのトルクの伝達を阻止される。
【００８４】
実施例１及び実施例２の医療用具１は、管腔内挿入具１０Ａの操作部１３に連結されて、術者に把持されるものであったが、本実施例の医療用具１は、図５に示すように、本実施例の医療用具１では、本体２がシャフト部１１と連結されており、シャフト部１１及び先端部１２に対して回転方向に拘束され、筒体３が操作部１３と連結されており、筒体３と操作部１３とは一体的に回転するように設けられている。
【００８５】
この管腔内挿入具１０Ａは、先端部１２及びシャフト部１１が生体内管腔内に挿入され、医療用具１及び操作部１３は体外に配置された状態で使用される。
この管腔内挿入具１０Ａを回転させるには、手で筒体３を把持して回してもよいし、操作部１３を把持して回してもよい。また、操作部１３にモータＭ等を接続し、モータＭ等により操作部１３を回してもよい。
【００８６】
〔変形例〕
実施例１ないし３では、本体側歯部４２及び筒体側歯部４３は、歯の形状は、順方向に回転させる際に解除方向へ案内する傾斜面４４と、逆方向に回転させる際に解除方向へ案内する傾斜面４５とで傾斜角度が異なるものであったが、傾斜角度が等しい二等辺三角形状であってもよい。
【００８７】
また、歯の形状が、９〜４５度の範囲で傾斜した傾斜面４４と、９〜９０度未満の範囲で傾斜した傾斜面４５とからなる三角形形状であったが、一方の傾斜面の角度が９０度である直角三角形形状であってもよい（図６（ａ）参照）。また、三角形の頂点を切り落とした形状であって、歯の幅が本体側歯部４２と筒体側歯部４３とで異なるものでもよい（図６（ｂ）参照）。また、歯幅が小さい歯が前端側・後端側へ交互に突出して噛み合う形状であってもよい（図６（ｃ）参照）。本体側歯部４６及び筒体側歯部４７についても、実施例のものに限らず、上記のような歯の形状であってもよい。
【００８８】
また、実施例２及び３では、第２のトルク制御機構４Ｂの係合が解除されるトルクは、第１のトルク制御機構４Ａの係合が解除されるトルクよりも大きくなっているが、第１のトルク制御機構４Ａの係合が解除されるトルクと第２のトルク制御機構４Ｂの係合が解除されるトルクとが同じであってもよい。
【００８９】
実施例１及び２では、本体２と狭窄部用カテーテル１０との連結は、外筒部２５の内周ネジ２５ａとフランジ部１５の外周ネジ１５ａとを螺合させて、円筒凹所２７内に円筒接続部１４を挿入すると共に、円筒接続部１４の筒内部に中央内筒部２６が挿入されることによってなされるものであった。しかし、本体２と狭窄部用カテーテル１０との連結は、その他様々な態様であってよく、例えば、チャック６によるものであってもよい。具体的には、チャック６は、本体径大部２２の前端側に設けられるとともに、十字状のスリット６１を隔てて４つの爪６２が設けられた爪部６３と、爪部６３の外周に締め付けることによりスリット６１を閉じる締め具６４とを有し、爪部６３にシャフト部１１を掴ませ、締め具６４をスライドさせてスリット６１を閉じてシャフト部１１を連結させる（図７参照）。
【００９０】
実施例１及び２では、管腔内挿入具として、狭窄部用カテーテル１０を用いた例を説明したが、これ以外にも、管腔内挿入具は、チューブ状のカテーテル、ガイドワイヤ、バルーンカテーテル、アテレクトミーカテーテル等であってもよい。
【００９１】
実施例３では、医療用具１は実施例２に記載の医療用具１と同様の構成であるが、実施例１の医療用具１と同様の構成であってもよい。すなわち、トルク制御機構４が、本体２と筒体前端部ＣＦとの当接部、あるいは、本体２と筒体後端部ＣＲとの当接部のいずれか一方に設けられている構成であってもよい。
【００９２】
実施例１ないし３では、トルク制御機構４は、噛合い歯による機構であったが、噛合い歯機構に限らず、摩擦式のものや、磁力式の機構等を用いてもよい。
【図面の簡単な説明】
【００９３】
【図１】（ａ）は医療用具及び医療用具を取り付けた狭窄部用カテーテルの全体構成図であり、（ｂ）は（ａ）のＡ−Ａ断面図、（ｃ）は（ａ）のＢ−Ｂ断面図、（ｄ）は（ａ）のＣ−Ｃ断面図、（ｅ）は医療用具と狭窄部用カテーテルの連結部の拡大部分断面図である（実施例１）。
【図２】（ａ）は医療用具の側面図であり、（ｂ）は医療用具の前端側からみた平面図であり、（ｃ）は医療用具の側部断面図である（実施例１）。
【図３】（ａ）トルクが所定値以内の場合、（ｂ）はトルクが所定値以上の場合の説明図である（実施例１）。
【図４】（ａ）は医療用具の側面図であり、（ｂ）は医療用具の側部断面図である（実施例２）。
【図５】管腔内挿入具の側面図である（実施例３）。
【図６】（ａ）、（ｂ）、（ｃ）は医療用具の要部拡大図である（変形例）。
【図７】（ａ）、（ｂ）は管腔内挿入具を取り付けた医療用具の構成図であり、（ｃ）は（ｂ）の要部の横断面図である（変形例）。
【符号の説明】
【００９４】
１  医療用具
２  本体
２８  本体側突起部
３７  筒体側突起部
３  筒体
４  トルク制御機構
４２  本体側歯部
４３  筒体側歯部
４４  傾斜面
４５  傾斜面
４６  本体側歯部
４７  筒体側歯部
４８  傾斜面
４９  傾斜面
１０  狭窄部用カテーテル（管腔内挿入具）
１０Ａ  管腔内挿入具
１１  シャフト部
１２  先端部
１３  操作部
ＣＦ  筒体前端部
ＣＲ  筒体後端部
ＢＦ  本体前端部
ＢＲ  本体後端部
Ｓ  スプリング
Ｐ  突起部
【図１】
2007215610.tif 000003
【図２】
2007215610.tif 000004
【図３】
2007215610.tif 000005
【図４】
2007215610.tif 000006
【図５】
2007215610.tif 000007
【図６】
2007215610.tif 000008
【図７】
2007215610.tif 000009